(57)【特許請求の範囲】
【請求項１】
光信号を送受信する複数のトランスポンダ部と、前記複数のトランスポンダ部から送信された光信号を合波して伝送路に送信し、伝送路から受信した波長多重光信号を分波して対応するトランスポンダ部に送信する光合分波器とを備えた波長多重光通信装置において、
前記トランスポンダ部は、
光信号を発光する発光部と、
前記発光部により発光された光信号を光増幅する光増幅器と、
前記光増幅器により光増幅された光信号から波長及び光レベルを検出する波長検出部と、
前記波長検出部により検出された波長及び光レベルに基づいて、前記発光部及び前記光増幅器を制御する制御部と、
前記光増幅器により光増幅された光信号を光合分波器に送信する送信部とを備え、
前記光合分波器は、
前記波長検出部により検出された光信号の波長及び光レベルに基づいて、前記送信部から送信された光信号を透過または遮断するＯＮ／ＯＦＦ機能部と、
前記ＯＮ／ＯＦＦ機能部を透過した光信号を合波して伝送路に送信するＡＤＤ部とを備え、
前記制御部は、前記トランスポンダ部が運用を開始した際に前記光増幅器を低利得で光増幅させて光レベルを所定閾値以下に制御し、前記光信号の波長が安定した後に前記光増幅器を所望値で光増幅させる
ことを特徴とする波長多重光通信装置。
【請求項２】
前記ＯＮ／ＯＦＦ機能部は、前記光信号の波長が安定した場合に、当該光信号を透過させる
ことを特徴とする請求項１記載の波長多重光通信装置。
【請求項３】
光信号を送受信する複数のトランスポンダ部と、前記複数のトランスポンダ部から送信された光信号を合波して伝送路に送信し、伝送路から受信した波長多重光信号を分波して対応するトランスポンダ部に送信する光合分波器とを備えた波長多重光通信装置において、
前記トランスポンダ部は、
光信号を発光する発光部と、
前記発光部により発光された光信号を光増幅する光増幅器と、
前記光増幅器により光増幅された光信号から波長及び光レベルを検出する波長検出部と、
前記波長検出部により検出された波長及び光レベルに基づいて、前記発光部及び前記光増幅器を制御する制御部と、
前記光増幅器により光増幅された光信号を光合分波器に送信する送信部とを備え、
前記光合分波器は、
前記波長検出部により検出された光信号の波長及び光レベルに基づいて、前記送信部から送信された光信号を透過または遮断するＯＮ／ＯＦＦ機能部と、
前記ＯＮ／ＯＦＦ機能部を透過した光信号を合波して伝送路に送信するＡＤＤ部とを備え、
前記ＯＮ／ＯＦＦ機能部は、前記光信号の波長が安定するまで、当該光信号の透過を制限して光レベルを所定閾値以下に制御する
ことを特徴とする波長多重光通信装置。
【発明の詳細な説明】
【技術分野】
【０００１】
この発明は、光信号を送受信する複数のトランスポンダ部と、複数のトランスポンダ部から送信された光信号を合波して伝送路に送信し、伝送路から受信した波長多重光信号を分波して対応するトランスポンダ部に送信する光合分波器とを備えた波長多重光通信装置に関するものである。
【背景技術】
【０００２】
従来の波長多重光通信システムでは、光信号を送受信するための媒体である光ファイバ１本に対して異なる複数の波長の光信号を多重して送受信する方式を用いており、伝送容量を飛躍的に増大できる通信装置として開発・実用化されている。
【０００３】
この波長多重光通信システムでは、複数の波長多重光通信装置(ノード)が光ファイバによって接続され、ノードが１対１で接続されるＰｏｉｎｔ−ｔｏ− Ｐｏｉｎｔ構成または複数のノードをリニア型に接続あるいはリング型に接続される構成から成り立っている。
【０００４】
この波長多重光通信装置は、その構成要素として、複数の異なる波長の光信号を合分波するＯ−ＡＤＭ（Optical Add-Drop Multiplexer）部、下流からの信号を任意の波長の光信号に設定可能なトランスポンダ部及びトランスポンダ部の光出力レベル調整を行う可変減衰部が信号波長数に応じて配置されている。また、長距離伝送を実現するため、伝送路またはＯ−ＡＤＭ部で発生した光損失を補完する光増幅器等も配置されている。
【０００５】
ここで、高密度な波長多重光伝送を行う場合、あるトランスポンダ部から送信された光信号が他のトランスポンダ部から送信された光信号の伝送特性に影響を与えないようにするため、クロストーク(crosstalk：漏話)量が小さくなるように管理する必要がある。そのため、トランスポンダ部では高精度の波長設定及び波長安定度を実現し、可変減衰部ではトランスポンダ部の光出力レベルを一定に維持する必要がある。
また、トランスポンダ部の起動／停止を切り替える場合あるいは別の波長へ設定変更する場合に生じる過渡的な光出力レベル変動を抑制する必要がある。
【０００６】
そのため、従来の波長多重光通信装置では、トランスポンダ部の送信制御部で光信号の波長を安定させて送信し、その送信制御部の光出力レベルに応じて可変減衰部を駆動させて、どの状態においても常に一定となるように制御を行っている。
例えば、特許文献１に開示される波長多重光通信システムでは、フォトディテクタと光減衰器を用いた光出力レベル制御方法に対して、精度の高い光レベル調整を実現する手法を用いている。
【先行技術文献】
【特許文献】
【０００７】
【特許文献１】特開２００６−１０１４７０号公報
【発明の概要】
【発明が解決しようとする課題】
【０００８】
しかしながら、特許文献１に開示される従来の波長多重光通信装置で用いている光出力レベル制御方法では、光レベル調整を高速かつ高精度で制御するため、制御シーケンスが複雑になるという課題があった。
【０００９】
また、波長多重光通信システムでは、広域なネットワークサービスを実現するために、さらなる長距離化、接続ノード数の増加、波長多重の高密度化が加速される傾向にある。そのため、各ノードでは、装置の起動／停止といった状態の変化や波長の設定変更が発生した場合に生じる光レベルの過渡変動が次段に蓄積されることにより、隣接波長の光信号へのクロストーク量が増加して伝送特性を劣化させる要因になるといった課題もあった。
【００１０】
さらに、波長多重光通信装置での波長数が増加した場合には、トランスポンダ部の数だけでなく可変減衰部の数も増加することになり、部品点数の増加や部品コスト、部品故障率及び消費電力が増大するという課題もあった。
【００１１】
この発明は、上記のような課題を解決するためになされたもので、部品コスト及び消費電力の低減や、高精度なトランスポンダ部の光出力レベル制御を行うことで高信頼かつ低コスト化を実現することができる波長多重光通信装置を提供することを目的としている。
【課題を解決するための手段】
【００１２】
この発明に係る波長多重光通信装置は、光信号を送受信する複数のトランスポンダ部と、複数のトランスポンダ部から送信された光信号を合波して伝送路に送信し、伝送路から受信した波長多重光信号を分波して対応するトランスポンダ部に送信する光合分波器とを備え、トランスポンダ部は、光信号を発光する発光部と、発光部により発光された光信号を光増幅する光増幅器と、光増幅器により光増幅された光信号から波長及び光レベルを検出する波長検出部と、波長検出部により検出された波長及び光レベルに基づいて、発光部及び光増幅器を制御する制御部と、光増幅器により光増幅された光信号を光合分波器に送信する送信部とを備え、光合分波器は、波長検出部により検出された光信号の波長及び光レベルに基づいて、送信部から送信された光信号を透過または遮断するＯＮ／ＯＦＦ機能部と、ＯＮ／ＯＦＦ機能部を透過した光信号を合波して伝送路に送信するＡＤＤ部とを備え、制御部は、トランスポンダ部が運用を開始した際に光増幅器を低利得で光増幅させて光レベルを所定閾値以下に制御し、光信号の波長が安定した後に光増幅器を所望値で光増幅させることを特徴とするものである。
【発明の効果】
【００１３】
この発明によれば、上記のように構成したので、トランスポンダ部内で発光部及び光増幅器を直接制御することで、簡潔な制御シーケンスで光出力レベル制御することができ、また、可変減衰部が不要となるため、部品点数を削減することができ、部品コストや部品故障率を低減させて、消費電力を抑制することができる。
【図面の簡単な説明】
【００１４】
【図１】この発明の実施の形態１に係る波長多重光通信装置の構成を示す図である。
【図２】この発明の実施の形態１に係る波長多重光通信装置の送信動作を示すフローチャートである。
【図３】この発明の実施の形態１に係る波長多重光通信装置の受信動作を示すフローチャートである。
【図４】この発明の実施の形態１における制御部の動作モードを説明する図である。
【図５】この発明の実施の形態１におけるＯＮ／ＯＦＦ機能部の動作モードを説明する図である。
【図６】この発明の実施の形態１におけるＯ−ＡＤＭ部及びトランスポンダ部の光出力レベルの変化を示すタイムチャートである。
【図７】この発明の実施の形態２における制御部の動作モードを説明する図である。
【図８】この発明の実施の形態２におけるＯＮ／ＯＦＦ機能部の動作モードを説明する図である。
【図９】この発明の実施の形態２におけるＯ−ＡＤＭ部及びトランスポンダ部の光出力レベルの変化を示すタイムチャートである。
【発明を実施するための形態】
【００１５】
以下、この発明の実施の形態について図面を参照しながら詳細に説明する。
実施の形態１．
図１はこの発明の実施の形態１に係る波長多重光通信装置１の構成を示す図である。
波長多重光通信装置１は、図１に示すように、Ｏ−ＡＤＭ部（光合分波器）２及び複数のトランスポンダ部３から構成される。また、波長多重光通信装置１の外部には、トランスポンダ部３との間で信号の送受信を行う下流装置４及び波長多重光通信装置１の動作を監視・制御する監視制御部５が設けられている。
【００１６】
Ｏ−ＡＤＭ部２は、各トランスポンダ部３から送信された各波長の光信号を合波して波長多重光信号を生成して伝送路に送信し、また、伝送路から送信された波長多重光信号を各波長の光信号に分波して対応するトランスポンダ部３に送信するものである。このＯ−ＡＤＭ部２は、ＤＲＯＰ部６、ＡＤＤ部７、ＯＮ／ＯＦＦ機能部８及び制御方式切替部９から構成される。
【００１７】
ＤＲＯＰ部６は、伝送路から送信された波長多重光信号を各波長の光信号に分波して、対応するトランスポンダ部３に送信するものである。
ＡＤＤ部７は、各トランスポンダ部３からＯＮ／ＯＦＦ機能部８を介して送信された各波長の光信号を合波して波長多重光信号を生成して、伝送路に送信するものである。
【００１８】
ＯＮ／ＯＦＦ機能部８は、トランスポンダ部３とＡＤＤ部７との間に設けられ、トランスポンダ部３から送信された各波長の光信号を透過（ＯＮ）または遮断（ＯＦＦ）するものである。このＯＮ／ＯＦＦ機能部８は、制御方式切替部９から光信号を透過させる（ＯＮモードに切り替える）ことを示すＯＮ／ＯＦＦ制御信号を受信した場合には、この光信号を透過する。
【００１９】
制御方式切替部９は、トランスポンダ部３の後述する波長検出部１４から制御部１６及び監視制御部５を介して送信された、光信号の波長が安定しているかを示す波長安定信号に基づいて、ＯＮ／ＯＦＦ機能部８の動作モードを切り替えるものである。この制御方式切替部９により切り替えられた動作モードを示すＯＮ／ＯＦＦ制御信号はＯＮ／ＯＦＦ機能部８に送信される。
【００２０】
トランスポンダ部３は、下流装置４から送信された信号を特定の波長の光信号に変換してＯ−ＡＤＭ部２に送信し、また、Ｏ−ＡＤＭ部２から送信された光信号を下流装置４に対応する信号に変換して送信するものである。このトランスポンダ部３は、送信制御部１０及び受信制御部１１から構成される。
【００２１】
送信制御部１０は、下流装置４から送信された信号を特定の波長に変換し、Ｏ−ＡＤＭ部２のＡＤＤ部７に送信するものであり、ＬＤ（Laser Diode）部（発光部）１２、ＳＯＡ（Semiconductor Optical Amplifier）部（光増幅器）１３、波長検出部１４、外部変調器（送信部）１５及び制御部１６から構成される。
【００２２】
ＬＤ部１２は、制御部１６による制御に従い、下流装置４から送信された信号に応じて、監視制御部５により設定された波長の光信号を発光するものである。このＬＤ部１２では、光信号としてＣＷ(Continuous Wave)光を発光する。このＬＤ部１２により発光された光信号はＳＯＡ部１３に送信される。
【００２３】
ＳＯＡ部１３は、制御部１６による制御に従い、ＬＤ部１２から送信された光信号を光増幅させるものである。このＳＯＡ部１３により光増幅された光信号は波長検出部１４に送信される。
なお、一般的にＬＤ部１２及びＳＯＡ部１３は１チップ構成で実現される。
【００２４】
波長検出部１４は、ＳＯＡ部１３から送信された光信号から波長及び光レベルを検出するものであり、エタロンフィルタ等の波長検出素子とフォトディテクタ等からなる波長ロッカ(Wavelength Locker)により構成される。この波長検出部１４により検出された光レベルを示す信号は制御部１６に送信され、また、光信号は外部変調器１５に送信される。
【００２５】
また、波長検出部１４は、検出した光信号の波長と監視制御部５により設定された波長とから波長ずれを算出して、この波長ずれを示す信号を制御部１６に送信する。さらに、波長検出部１４では、光信号の波長が設定された波長として安定しているかを監視し、波長が安定領域に入っていると判断した場合には、この旨を示す波長安定信号を制御部１６及びＯ−ＡＤＭ部２の制御方式切替部９に送信する。
【００２６】
制御部１６は、監視制御部５から送信された、設定した波長の光信号を発光することを示す発光指示信号に従い、ＬＤ部１２を発光させ、波長検出部１４により算出された光信号の波長ずれに基づいて、ＬＤ部１２内部のチップ温度を微調整して、所望の波長になるように高精度に制御するものである。また、制御部１６は、波長検出部１４から送信された光信号の光レベルに基づいて、ＳＯＡ部１３の光増幅量を制御する。
なお、この制御部１６は、トランスポンダ部３の運用状態に応じて動作モードを切り替え、ＳＯＡ部１３に対する制御を変更する。
【００２７】
外部変調器１５は、波長検出部１４から送信された光信号を所望の信号レートで変調して、Ｏ−ＡＤＭ部２のＯＮ／ＯＦＦ機能部８に送信するものである。
受信制御部１１は、Ｏ−ＡＤＭ部２のＤＲＯＰ部６から送信された光信号を下流装置４に対応する信号に変換して、下流装置４に送信するものである。
【００２８】
次に、上記のように構成される波長多重光通信装置１の動作について説明する。
図２はこの発明の実施の形態１に係る波長多重光通信装置１の送信動作を示すフローチャートである。また、図３はこの発明の実施の形態１に係る波長多重光通信装置１の受信動作を示すフローチャートである。
【００２９】
まず、波長多重光通信装置１の送信動作では、図２に示すように、トランスポンダ部３のＬＤ部１２は、監視制御部５から発光指示信号を受信した制御部１６による制御に従い、下流装置４からの信号に応じて、監視制御部５により設定された波長の光信号を発光する（ステップＳＴ２１）。このＬＤ部１２により発光された光信号はＳＯＡ部１３に送信される。
【００３０】
次いで、ＳＯＡ部１３は、制御部１６による制御に従い、ＬＤ部１２から送信された光信号を光増幅する（ステップＳＴ２２）。このＳＯＡ部１３により光増幅された光信号は波長検出部１４を介して外部変調器１５に送信される。
次いで、外部変調器１５は、ＳＯＡ部１３から送信された光信号を所望の信号レートで変調してＯ−ＡＤＭ部２に送信する（ステップＳＴ２３）。
【００３１】
なお、波長検出部１４では、ＳＯＡ部１３から送信された光信号の波長及び光レベルを検出して、設定された波長との波長ずれを算出して、波長ずれ及び光レベルを示す信号を制御部１６に送信する。次いで、制御部１６は、この波長ずれ及び光レベルに基づいてＬＤ部１２及びＳＯＡ部１３を制御する。この制御部１６によるＬＤ部１２及びＳＯＡ部１３の制御については後述する。
【００３２】
次いで、各トランスポンダ部３の外部変調器１５から光信号をＯＮ／ＯＦＦ機能部８を介して受信したＯ−ＡＤＭ部２のＡＤＤ部７は、各波長の光信号を合波して伝送路に送信する（ステップＳＴ２４）。
なお、制御方式切替部９では、トランスポンダ部３波長検出部１４から送信された波長安定信号に基づいて、ＯＮ／ＯＦＦ機能部８の動作モードを切り替えている。この制御方式切替部９によるＯＮ／ＯＦＦ機能部８の動作モードの切り替えについては後述する。
【００３３】
一方、波長多重光通信装置１の受信動作では、図３に示すように、Ｏ−ＡＤＭ部２のＤＲＯＰ部６は、伝送路からの波長多重光信号を分波して対応するトランスポンダ部３の受信制御部１１に送信する（ステップＳＴ３１）。
次いで、受信制御部１１は、受信した光信号を下流装置４に対応する信号に変換して、下流装置４に送信する（ステップＳＴ３２）。
【００３４】
次に、制御部１６によるＬＤ部１２及びＳＯＡ部１３の制御について説明する。図４はこの発明の実施の形態１における制御部１６の動作モードを説明する図である。
図４に示すように、制御部１６は、トランスポンダ部３が起動された際には、動作モードを初期モードに設定する。初期モードに設定した制御部１６は、ＬＤ部１２及びＳＯＡ部１３をシャットダウン(光出力停止)状態となるように制御する。
【００３５】
次いで、制御部１６は、監視制御部５から、設定した波長の光信号を発光することを示す発光指示信号を受信した場合には、動作モードを粗調整モードに切り替える。粗調整モードに設定した制御部１６は、監視制御部５により設定された波長に応じた温度になるようにＬＤ部１２を制御して発光状態にさせる。また、ＳＯＡ部１３はシャットダウン状態を維持する。
【００３６】
次いで、制御部１６は、監視制御部５から、運用を開始することを示す運用開始指示信号を受信した場合には、動作モードを微調整モードに切り替える。微調整モードに設定した制御部１６は、ＳＯＡ部１３を低利得で光増幅させて光レベルが所定閾値以下になるように制御する。また、波長検出部１４によって算出された波長ずれに基づいて、ＬＤ部１２の温度を微調整する。
【００３７】
次いで、制御部１６は、波長検出部１４から、光信号の波長が安定領域に入っていることを示す波長安定制御信号を受信した場合には、動作モードを運用状態モードに切り替える。運用状態モードに設定した制御部１６は、ＳＯＡ部１３を運用する際に必要とされる所望値で光増幅させるように制御を行う。
【００３８】
なお、制御部１６は、動作モードを運用状態モードまたは微調整モードに設定している状態において、監視制御部５から、運用を停止することを示す運用停止指示信号を受信した場合には、動作モードを粗調整モードに切り替えて、ＳＯＡ部１３をシャットダウン状態にさせる。
【００３９】
また、制御部１６は、初期モード以外の動作モードに設定している状態において、監視制御部５からリセット信号を受信した場合には、動作モードを初期モードに切り替えて、ＬＤ部１２及びＳＯＡ部１３をシャットダウン状態にさせる。
【００４０】
次に、制御方式切替部９によるＯＮ／ＯＦＦ機能部８の動作モードの切り替えについて説明する。図５はこの発明の実施の形態１におけるＯＮ／ＯＦＦ機能部８の動作モードを説明する図である。
図５に示すように、制御方式切替部９は、Ｏ−ＡＤＭ部２が起動された際には、ＯＮ／ＯＦＦ機能部８の動作モードをＯＦＦモードに設定する。ＯＦＦモードに設定されたＯＮ／ＯＦＦ機能部８は、外部変調器１５から送信された光信号を遮断して、ＡＤＤ部７に光信号が入力されないように制御する。
【００４１】
次いで、制御方式切替部９は、波長検出部１４から波長安定信号を制御部１６及び監視制御部５を介して受信した場合には、ＯＮ／ＯＦＦ機能部８の動作モードをＯＮモードに切り替える。ＯＮモードに設定されたＯＮ／ＯＦＦ機能部８は、外部変調器１５から送信された光信号を透過させて、ＡＤＤ部７に入力させることで他波長の光信号と合波可能な状態にする。
【００４２】
なお、ＯＮ／ＯＦＦ機能部８では、所定閾値以上の光レベルを有する光信号が送信された場合には、動作モードがＯＮモードに切り替わり光信号をＡＤＤ部７に入力させてしまう。
ここで、ＬＤ部１２の温度調整が完了していない状態で、光信号がＯＮ／ＯＦＦ機能部８を透過してＡＤＤ部７に入力された場合、波長ずれによって隣接波長の光信号の伝送特性を劣化させる恐れがある。そのため、制御部１６では、ＬＤ部１２による光信号の波長が安定するまでは、ＳＯＡ部１３を低利得で光増幅させて、光レベルが所定閾値以下になるように制御する。
【００４３】
次に、上記のように構成されたＯ−ＡＤＭ部２及びトランスポンダ部３の光出力レベルの変化について説明する。図６はこの発明の実施の形態１におけるＯ−ＡＤＭ部２及びトランスポンダ部３の光出力レベルの変化を示すタイムチャートである。
図６に示すように、トランスポンダ部３の光出力レベルは、制御部１６の動作モードが粗調整モードのときには、ＳＯＡ部１３による光増幅がされていない値（Ｃ［ｄＢｍ］）となり、微調整モードのときには、ＳＯＡ部１３によって低利得で光増幅された値（Ｂ［ｄＢｍ］）となり、運用状態モードのときには、ＳＯＡ部１３によって所望値で光増幅された値（Ａ［ｄＢｍ］）となる。
【００４４】
一方、Ｏ−ＡＤＭ部２のＯＮ／ＯＦＦ機能部８では、トランスポンダ部３からの光信号の波長が安定するまではＯＦＦモードに設定される。そのため、Ｏ−ＡＤＭ部２の光出力レベルは、ＯＮ／ＯＦＦ機能部８により光信号が遮断された値（Ｚ［ｄＢｍ］）となり、トランスポンダ部３の光出力レベル（Ｃ［ｄＢｍ］あるいはＢ［ｄＢｍ］）に関わらず、隣接波長の光信号の伝送特性を劣化させる要因である光レベルの過渡変動を抑圧することができる。
【００４５】
その後、トランスポンダ部３からの光信号の波長が安定領域に入った場合には、ＯＮ／ＯＦＦ機能部８はＯＮモードに切り替えられる。そのため、Ｏ−ＡＤＭ部２の光出力レベルは、ＯＮ／ＯＦＦ機能部８により光信号が透過された値（Ｘ［ｄＢｍ］）となり、運用状態になる。
【００４６】
以上のように、この実施の形態１によれば、トランスポンダ部３内の制御部１６によってＬＤ部１２及びＳＯＡ部１３を直接制御し、波長検出部１４によって光信号の波長の安定状態を検出して、Ｏ−ＡＤＭ部２のＡＤＤ部７への入力の可否を制御するように構成したので、簡潔な制御シーケンスで光出力レベルを制御することができ、また、従来設けられていた可変減衰部が不要となるため、部品点数を削減することができ、部品コストや部品故障率を低減し、消費電力を抑制することができる。
【００４７】
また、制御部１６によるＳＯＡ部１３の制御を、トランスポンダ部３を起動する際や運用中といった運用状態に応じて変更することで、隣接波長の光信号の伝送特性を劣化させる要因である光レベルの過渡変動を抑圧することができ、良好な伝送特性を維持することができる。
【００４８】
実施の形態２．
実施の形態２に係る波長多重光通信装置１の構成は、図１に示す実施の形態１に係る波長多重光通信装置１の構成と同等であるので、図１を参照しながら説明を行う。なお、ＯＮ／ＯＦＦ機能部８は多段のカプラ等により構成される。
【００４９】
また、制御部１６は、自身の動作モードを運用状態モードに切り替えた場合には、その旨を示す運用状態信号を制御方式切替部９に送信する。
また、制御方式切替部９は、制御部１６から送信された運用状態信号または波長検出部１４から送信された波長安定信号に基づいて、ＯＮ／ＯＦＦ機能部８の動作モードを切り替える。
【００５０】
次に、制御部１６によるＬＤ部１２及びＳＯＡ部１３の制御について説明する。図７はこの発明の実施の形態２における制御部１６の動作モードを説明する図である。
図７に示すように、制御部１６は、トランスポンダ部３が起動された際に、動作モードを初期モードに設定して、ＬＤ部１２及びＳＯＡ部１３をシャットダウン状態に制御する。
次いで、制御部１６は、監視制御部５から発光指示信号を受信した場合には、動作モードを粗調整モードに切り替えて、ＬＤ部１２を発光させて、ＳＯＡ部１３をシャットダウン状態に維持させるように制御する。
【００５１】
次いで、制御部１６は、監視制御部５から運用開始指示信号を受信した場合には、動作モードを運用状態モードに切り替えて、ＳＯＡ部１３を所望値で光増幅させるように制御する。また、波長検出部１４によって算出された波長ずれに基づいて、ＬＤ部１２の温度を微調整する。なお、制御部１６は、動作モードを運用状態モードに切り替えたことを示す運用状態信号を監視制御装置５を介して制御方式切替部９に送信する。
【００５２】
なお、制御部１６は、動作モードを運用状態モードに設定している状態において、監視制御部５から運用停止指示信号を受信した場合には、動作モードを粗調整モードに設定し、ＳＯＡ部１３をシャットダウン状態にさせる。
また、制御部１６は、初期モード以外の動作モードに設定している状態において、監視制御部５からリセット信号を受信した場合には、動作モードを初期モードに設定して、ＬＤ部１２及びＳＯＡ部１３をシャットダウン状態にさせる。
【００５３】
次に、制御方式切替部９によるＯＮ／ＯＦＦ機能部８の動作モードの切り替えについて説明する。図８はこの発明の実施の形態２におけるＯＮ／ＯＦＦ機能部８の動作モードを説明する図である。
図８に示すように、制御方式切替部９は、Ｏ−ＡＤＭ部２が起動された際に、ＯＮ／ＯＦＦ機能部８の動作モードをＯＦＦモードに設定して、ＯＮ／ＯＦＦ機能部８は、外部変調器１５から送信された光信号を遮断する。
【００５４】
次いで、制御方式切替部９は、制御部１６から運用状態信号を受信した場合には、ＯＮ／ＯＦＦ機能部８の動作モードを固定損失モードに切り替える。この固定損失モードに設定されたＯＮ／ＯＦＦ機能部８は、ＬＤ部１２による光信号の波長が安定するまで、隣接波長の光信号の伝送特性を劣化させないように、光信号の透過を制限して光レベルが所定閾値以下になるように制御する。
【００５５】
次いで、制御方式切替部９は、波長検出部１４から波長安定信号を受信した場合には、ＯＮ／ＯＦＦ機能部８の動作モードをＯＮモードに切り替えて、ＯＮ／ＯＦＦ機能部８は、外部変調器１５から送信された光信号を透過させる。
【００５６】
次に、上記のように構成されたＯ−ＡＤＭ部２及びトランスポンダ部３の光出力レベルの変化について説明する。図９はこの発明の実施の形態２におけるＯ−ＡＤＭ部２及びトランスポンダ部３の光出力レベルの変化を示すタイムチャートである。
図９に示すように、トランスポンダ部３の光出力レベルは、制御部１６の動作モードが粗調整モードのときには、ＳＯＡ部１３による光増幅がされていない値（Ｃ［ｄＢｍ］）となり、運用状態モードのときには、ＳＯＡ部１３によって所望値で光増幅された値（Ａ［ｄＢｍ］）となる。
【００５７】
一方、Ｏ−ＡＤＭ部２のＯＮ／ＯＦＦ機能部８では、トランスポンダ部３が運用状態モードに切り替わった後もトランスポンダ部３からの光信号の波長が安定するまでは固定損失モードに設定される。そのため、Ｏ−ＡＤＭ部２の光出力レベルは、ＯＮ／ＯＦＦ機能部８により光信号の透過が制限されて光レベルが所定閾値以下に制御された値（Ｙ［ｄＢ］）となり、トランスポンダ部３の光出力レベルがＡ［ｄＢｍ］に上昇した場合にも、隣接波長の光信号の伝送特性への影響を抑制することができる。
なお、この固定損失モードによって制御される光レベルは、ＯＮ／ＯＦＦ機能部８がＯＮモードに切り替わる所定閾値以下であれば、波長数に応じて任意に設定可能である。
【００５８】
その後、トランスポンダ部３の光信号の波長が安定領域に入った場合には、ＯＮ／ＯＦＦ機能部８はＯＮモードに設定され、Ｏ−ＡＤＭ部２の光出力レベルは、ＯＮ／ＯＦＦ機能部８により光信号が透過された値（Ｘ［ｄＢｍ］）となり、運用状態になる。
【００５９】
以上のように、この発明の実施の形態２によれば、トランスポンダ部３の光出力レベルが上昇した場合にも、光信号の波長が安定するまでは、ＯＮ／ＯＦＦ機能部８を固定損失モードに設定して、隣接波長の光信号の伝送特性への影響を抑制するように構成したので、実施の形態１における効果の他に、各トランスポンダ部３の光出力レベル制御を簡略化することができ、複数波長の光出力レベルを一括で制御することができる。そのため、使用する波長数が頻繁に変動しない場合には、制御シーケンスを簡略化することができ、消費電力のさらなる低減効果を得ることができる。
【符号の説明】
【００６０】
１  波長多重光通信装置、２  Ｏ−ＡＤＭ部（光合分波器）、３  トランスポンダ部、４  下流装置、５  監視制御部、６  ＤＲＯＰ部、７  ＡＤＤ部、８  ＯＮ／ＯＦＦ機能部、９  制御方式切替部、１０  送信制御部、１１  受信制御部、１２  ＬＤ部（発光部）、１３  ＳＯＡ部（光増幅器）、１４  波長検出部、１５  外部変調器（送信部）、１６  制御部。
【図１】
0005473577.tif 000002
【図２】
0005473577.tif 000003
【図３】
0005473577.tif 000004
【図４】
0005473577.tif 000005
【図５】
0005473577.tif 000006
【図６】
0005473577.tif 000007
【図７】
0005473577.tif 000008
【図８】
0005473577.tif 000009
【図９】
0005473577.tif 000010